(57)【要約】【課題】  着用時に、長手方向に柔らかく湾曲して着用者の身体形状に良好にフィットすると共に、長手方向の湾曲により複数のポケットが開口して優れた防漏性が得られる吸収性物品を提供すること。【解決手段】  吸収性本体の両側部に一対のサイドシート６を有し、各サイドシート６は、吸収性本体の長手方向に実質的に連続する接合ライン８において、吸収性本体に接合されており、接合ライン８は、吸収性本体の長手方向中心線ＣＬに近い部分８１と該中心線ＣＬから遠い部分８２とを交互にそれぞれ複数有しており、各サイドシート６の長手方向における、相隣接する前記近い部分８１，８１同士間に、ポケット８４が形成されている吸収性物品１。【選択図】  図３
2005342368.tif 000002
【特許請求の範囲】
【請求項１】
液保持性の吸収層及び液不透過性の防漏層を備えた実質的に縦長の吸収性本体と、該吸収性本体の肌当接面側における両側部それぞれに配された一対のサイドシートとを有する吸収性物品であって、
前記各サイドシートは、前記吸収性本体の長手方向に実質的に連続する接合ラインで前記吸収性本体に接合されており、
前記接合ラインは、前記吸収性本体の長手方向中心線に近い部分と該中心線から遠い部分とを交互にそれぞれ複数有しており、
前記各サイドシートにおける、相隣接する前記長手方向中心線に近い部分同士間に、ポケットが形成されている吸収性物品。
【請求項２】
前記吸収層は、液透過性の表面シート及び液保持性の吸収体からなり、前記接合ラインの少なくとも一部が、平面視において前記吸収体と重なっている請求項１記載の吸収性物品。
【請求項３】
前記サイドシートが、撥水性の不織布からなる請求項１又は２記載の吸収性物品。
【請求項４】
前記接合ラインが、平面視して波形形状又はジグザグ形状である請求項１〜３の何れか記載の吸収性物品。
【請求項５】
吸収性物品の厚みが０．５〜３．５ｍｍである請求項１〜４の何れか記載の吸収性物品。
【発明の詳細な説明】
【技術分野】
【０００１】
本発明は、生理用ナプキン、パンティライナー（おりものシート）、失禁パッド等の吸収性物品に関する。
【背景技術】
【０００２】
生理用ナプキン等の吸収性物品において、肌当接面側における両側部に、サイドシート（撥水性不織布等）を用いてポケットを形成する技術が知られている。
【０００３】
例えば、特許文献１には、ウイング部を形成させる液バリヤシートの内側縁部側の一部を、表面シート上に重ねて配置すると共に、該バリヤシートを、その内側縁から離間した位置において表面シートに接合して、バリヤシートと表面シートとの間にポケットを形成した生理用ナプキンが提案されている。
また、特許文献２には、吸収体の長手方向中間部の幅を前後部の幅より狭く形成した吸収性物品であって、その両側部に配するサイド不織布の内側縁形状を、前記吸収体の側縁形状に沿った形状にすると共に、該サイド不織布の内側縁側を表面シートに接着せずに、該サイド不織布と吸収性コアとの間に体液封じ込めポケットを形成したものが提案されている。
【０００４】
【特許文献１】実開平５−５１３２８号公報
【特許文献２】特開２００１−３２７５３５号公報
【発明の開示】
【発明が解決しようとする課題】
【０００５】
しかし、特許文献１記載の生理用ナプキンは、ウイング部の近傍のみにポケットが形成されており、該ポケットは、ウイング部を裏面シートの外面側に折り返すときの引っ張りによって開口させるようにしてある。そのため、ウイング部を有しないナプキンや、ナプキンのウイング部近傍以外に、そのようなポケットを形成することはできない。また、特許文献１記載のポケットは、着用中に押圧されてその全体が潰れたり、部分的に裏返りが生じたりしやすい。
特許文献２記載の吸収性物品のポケットも、その一部を押圧されるとその全体が潰れたり、部分的に裏返りが生じたりしやすい。
【０００６】
更に、従来のサイドシートを備えた生理用ナプキンにおいては、サイドシートをナプキンの長手方向に沿う直線状のヒートシール部によって固定する場合が多く、サイドシートを着用者の身体に沿って滑らかに曲げることができなかったり、ヒートシール部が硬く、肌触りが悪くなる場合があった。
【０００７】
従って、本発明の目的は、着用時に、着用者の身体形状に良好にフィットすると共に、防漏性が得られる吸収性物品を提供することにある。
【課題を解決するための手段】
【０００８】
本発明は、液保持性の吸収層及び液不透過性の防漏層を備えた実質的に縦長の吸収性本体と、該吸収性本体の肌当接面側における両側部それぞれに配された一対のサイドシートとを有する吸収性物品であって、前記各サイドシートは、前記吸収性本体の長手方向に実質的に連続する接合ラインで前記吸収性本体に接合されており、前記接合ラインは、前記吸収性本体の長手方向中心線に近い部分と該中心線から遠い部分とを交互にそれぞれ複数有しており、前記各サイドシートにおける、相隣接する前記長手方向中心線に近い部分同士間に、ポケットが形成されている吸収性物品を提供することにより、上記目的を達成したものである。
【発明の効果】
【０００９】
本発明の吸収性物品によれば、着用時に、長手方向に柔らかく湾曲して着用者の身体形状に良好にフィットすると共に、複数のポケットにより優れた防漏性が得られる。
【発明を実施するための最良の形態】
【００１０】
以下本発明をその好ましい実施形態に基づき図面を参照しながら説明する。
本発明の吸収性物品の一実施形態としての生理用ナプキン１は、図１及び図２に示すように、液保持性の吸収層１１及び液不透過性の防漏層１３を備え、実質的に縦長の吸収性本体１０と、該吸収性本体１０の肌当接面側における両側部それぞれに配された一対のサイドシート６，６とを有する。一対のサイドシート６，６には、本体の長手方向中心線ＣＬに近い部分８１と該中心線ＣＬから遠い部分８２とを交互にそれぞれ複数有する接合ライン（接合シール）８が形成されており、前記中心線ＣＬに近い部分８１，８１間には、長手方向に複数のポケット８４が形成されている。
【００１１】
図２に示すように、吸収層１１は、液透過性の表面シート２及び液保持性の吸収体４とからなり、防漏層１３は、液不透過性の裏面シート３からなる。表面シート２は、吸収体４の上面の全域を被覆しており、吸収体４の両側縁それぞれから若干延出した位置に直線状の両側縁を有している。裏面シート３は、吸収体４の下面の全域を被覆し、吸収体４の両側縁それぞれから外方に延出した部分を有し、その延出部分が、サイドシート６と共にナプキン１の両側部にサイドフラップ７を形成している。サイドフラップ部７は、排泄部対向部Ａにおいて幅方向外方に大きく延出してウイング部７１を形成している。吸収体４は、略長方形状に形成されており、表面シート２と裏面シート３との間に挟まれた状態で固定されている。
【００１２】
図１及び図２に示すように、サイドシート６は、吸収性本体１０の肌当接面側（図２中、上側）における両側部それぞれに、それぞれ吸収性本体１０の長手方向に沿って配されており、それぞれナプキン１の略全長に亘るように配されている。
【００１３】
各サイドシート６は、図２に示すように、ナプキン１の幅方向中央寄りに位置する部分６Ａは、シートの折り返しにより２層とされており、その折り返し部が、サイドシート６の内側縁部６１となっている。内側縁部６１は、ナプキン１の幅方向中央部側に直線状に形成されている。
サイドシート６は、このように、折り返し部がナプキン（吸収性物品）の幅方向中央側に位置するように、２層に折り返されていると、装着時にポケットが開口し易くなるので好ましい。
サイドシート６における、前記部分６Ａは、ナプキン１の前後端部において、ヒートエンボス加工により表面シート２と共に裏面シート３に固定されている。他方、サイドシート６における、ナプキン１の幅方向外方側に位置する部分６Ｂは、図示しない接着剤により裏面シート３に接合されており、該部分６Ｂのうち、ナプキン１の周縁部９に位置する部分は、ヒートエンボス加工により裏面シート３に接合されている。また、表面シート２と裏面シート３とは、ナプキン１の周縁部９に位置する部分において、ヒートエンボス加工により接合されている。
【００１４】
図１及び図３に示すように、各サイドシート６は、吸収性本体１０の長手方向に連続する接合ライン８で、該吸収性本体１０に接合されている。吸収性本体の長手方向は、ナプキンやパンティライナー、失禁パッド等においては、装着時に着用者の前後方向と一致する方向である。
本実施形態における接合ライン８は、図２に示すように、ヒートエンボス加工により、ナプキン１の幅方向中央寄りに位置する部分６Ａの一部を、表面シート２と接合して形成されている。
接合ライン８は、本実施形態のようにサイドシート６が表面シート２のみと接合されて形成されたもの、又はサイドシート６が表面シート２と共に吸収体にも固定されているが、該吸収体の前記接合ライン相当部分に溝が形成されていないものである場合、吸収性物品が一層柔らかくなり、身体へのフィット性が向上する点で好ましい。
【００１５】
接合ライン８は、サイドシートを、表面シート及び吸収体と共に一体的に圧搾して形成されたものであっても良い。この場合、接合ライン部分に生じた溝により、液の滲みや拡散が抑制される利点がある。
【００１６】
接合ライン８は、ナプキン１（吸収性物品）を、排泄部対向部Ａ並びにその前後に位置する前方部Ｂ及び後方部Ｃに区分した場合に、排泄部対向部Ａのみならず、前方部Ｂと後方部Ｃとの間に亘るように形成されている。本ナプキン１のように、ショーツ等の衣類外面に固定するウイング部７１を備えた吸収性物品における排泄部対向部Ａは、その両側部にウイングを有する部分である。
接合ライン８は、排泄部対向部Ａから、前方部Ｂ及び後方部Ｃの何れか一方に亘るように形成することもでき、排泄部対向部Ａのみに形成することもできる。
【００１７】
接合ライン８の形状は、長手方向に複数のポケット８４が多数形成されており、一つ一つのポケットが小さく、サイドシートの裏返りが起こり難い。このため、着用中の違和感となることや、裏返った付近において身体との隙間が発生することなく漏れを起こしにくい。また、複数のポケット８４が形成されていることは、身体と密着している部分のポケット８４はつぶれているが（このような状態であっても、身体と密着しているため液は吸収体４に吸収される）、密着状態が低い部分のポケット８４の形成に影響を与えない。
【００１８】
更に、接合ライン８は、少なくとも一部が、平面視において吸収体４と重なっていることが、ポケットで捕らえた液がスムーズに吸収体に吸収され、防漏性が一層向上するので好ましい。ポケットで捕らえた液は、ポケットの手前から奥へ移動する間に吸収体４に吸収されるか、もしくは、ポケットの奥にたどり着いた後吸収体側に戻って吸収される。
平面視において吸収体４と重なっているとは、接合ライン８の全体又は一部が、吸収体が配されている領域（図１においては、吸収体の輪郭を示す点線で囲まれた領域）内に存することを意味する。接合ライン８は、吸収性本体の長手方向中心線ＣＬに近い部分８１から、該中心線ＣＬから遠い部分８２までの幅（以下、揺動幅ともいう）の一部が、吸収体４と重なっていることが好ましく、前記揺動幅の全体が、吸収体４と重なっていることがより好ましい。吸収性本体１０の長手方向においては、接合ライン８が吸収体４と重なっている部分は、排泄部対向部Ａの一部に存在することが好ましく、排泄部対向部の全長に亘って存在していることがより好ましい。特に好ましくは、ナプキンの前後端に位置する部分を除く、接合ライン８の略全長に亘って、吸収体４と重なる部分を有していることが好ましい。
【００１９】
接合ライン８は、ナプキン１（吸収性物品）全長の６０％以上の長さ、特にナプキン１（吸収性物品）全長の８０％以上の長さに亘っていることが好ましい。
【００２０】
本明細書において、実質的に連続するとは、本実施形態のような連続する接合ラインの他に、複数の接合部を、吸収性物品の幅方向と平行な任意の直線を想定した場合に該直線と重ならない部分がないように連続的に配置したものや、微視的にみると非連続の多数の接合部からなるが全体として見れば線状の接合部を形成しているようなものを含む趣旨であり、例えば、図４に示すように、短尺の接合部８５を、互いの一部を重複させるようにして、ナプキンの長手方向に多数配置してなる接合ラインも実質的に連続する接合ラインである。但し、接合部８５同士間の最短距離は２ｍｍ以内であることが好ましい。
【００２１】
図３には、本実施形態のナプキン１における接合ライン８の形状が示されている。図３に示すように、接合ライン８は、平面視して連続波形形状であり、吸収性本体１０の長手方向中心線ＣＬに近い部分８１と、該中心線ＣＬから遠い部分８２とを交互にそれぞれ複数有している。つまり、長手方向中心線ＣＬに対して近い部分８１と遠い部分８２とが、ナプキン１の長手方向に交互に繰り返して存在している。ここでいう「近い」及び「遠い」は、遠い部分に比べて近く、近い部分に比べて遠いという相対的な意味である。
接合ライン８は、ナプキンの幅方向中央側に向けて凸の円弧状部分と、ナプキンの幅方向中央側に向けて凹の円弧状部分とが交互に連なった形状であり、ナプキンの長手方向と平行な部分を有していない。
【００２２】
各サイドシート６における、内側縁部６１と接合ライン８との間の部分８３は表面シート２に接合されておらず、該部分８３と表面シート２との間にポケット８４が形成されている。各ポケット８４は、ナプキン１（吸収性本体１０）の長手方向において、各サイドシート６における、相隣接する前記近い部分８１，８１同士間に形成されている。ポケット８４の数は、それぞれ、ナプキン（吸収性物品）の長手方向の長さ２ｃｍ当たりに１〜５個、特に２〜４個程度であることが好ましい。
また、接合ライン８は、前記長手方向中心線ＣＬに近い部分８１と該中心線ＣＬから遠い位置８２との離間距離Ｗ（図３参照）が４〜２０ｍｍ、特に５〜１０ｍｍであることが、防漏性の高いポケットを形成する観点から好ましい。
【００２３】
本実施形態のナプキン１は、従来のナプキンと同様に、裏面シート３側の面（非肌当接面）に設けられたズレ止め剤（図示省略）により、ショーツ等の衣類の内面に固定して用いられる。
【００２４】
ナプキン１は、着用時に、その前後方向に湾曲するが、上述した接合ライン８により、ナプキン１が湾曲しても、硬い折れ曲がり部を生じたり、サイドシートにシワが発生したり、無理な変形によるヨレを生じたりすることなく、長手方向に柔らかく湾曲して着用者の身体形状に良好にフィットする。そのため、前後からの漏れが効果的に防止される。
また、ナプキン１の湾曲により、図５に示すように、ナプキン１の幅方向中央部側に向けて、多数のポケット８４が自然に開口し、これらのポケット８４は、一部のポケット８４が押圧により潰れても他のポケット８４の開口状態が維持されやすい。本ナプキン１によれば、長手方向の柔らかく湾曲することによる良好なフィット性と、開口状態が維持され易い多数のポケット８４により、ナプキン１の側部からの漏れも効果的に防止される。
【００２５】
本実施形態のナプキン１においては、図１及び図２に示すように、ナプキン１の幅方向において、各接合ライン８の全体が、該吸収体４上に形成されている。これにより、体に沿った安定的な吸収面が吸収体４上に形成され、吸収体側部のヨレが防止されて、より効率的な吸収が可能となる。各接合ライン８の全体が吸収体４上に固定されている形態に代えて、内側縁部６１寄りの一部等、接合ライン８の一部のみが吸収体４上に固定されている形態することもできる。
【００２６】
サイドシート６の形成材料としては、各種公知の材料を用いることができ、例えば撥水性の不織布や樹脂フィルム製のシートが好ましく用いられる。特に撥水性の不織布を用いることが、肌触りのよさと横モレ防止の点から好ましい。サイドシート６としては不織布と樹脂フィルムのラミネート体を用いることもできる。
表面シート２、裏面シート３、及び吸収体４の形成材料としては、生理用ナプキン等の吸収性物品に従来用いられている各種のもの等を特に制限なく用いることができる。
【００２７】
接合ラインは、波形形状又はジグザグ形状であることがポケットを形成し、装着時にポケットを開口させ、横モレを防止する点から好ましい。波形形状としては、図３に示したような波形形状の他、図４に示したような波形形状であっても良い。図６に、ジグザグ形状の接合ラインの例を示した。
【００２８】
本発明の吸収性物品は、その厚みが０．５〜３．５ｍｍ、特に１．０〜２．０ｍｍであることが、装着時に違和感が生じにくく、身体の前後方向に沿ってよりフィットし、装着時にポケットが開口しやすくモレ防止性が一層向上するので好ましい。厚みの下限値は、主として装着時のヨレの生じにくさの観点からの下限値である。
【００２９】
ナプキン１（吸収性物品）の厚みは、以下のようにして測定することができる。
＜厚み測定方法＞
製品を平らな場所にシワや折れ曲がりがないように静置し、製品の吸収体が配されている領域の上面に、５ｃＮ／ｃｍ2の荷重をかけ、その状態下での厚みを測定する。ナプキン装着時の装着圧は、身体の部位、個人差、状態（座っている・動いている）等により異なるが、股間部中央域（排泄ポイント付近）では、ショーツ等の衣類を着用する以外に外圧がない状態において、無荷重〜５ｃＮ／ｃｍ2の荷重となるため、この荷重（５ｃＮ／ｃｍ2）での測定を行なった。本発明における厚みの測定には、ＰＥＡＣＯＣＫ  ＤＩＡＬ  ＵＰＲＩＧＨＴ  ＧＡＵＧＥＳ  Ｒ５−Ｃ（ＯＺＡＫＩ  ＭＦＧ.ＣＯ.ＬＴＤ.製）を用いた。このとき、厚み計先端部と製品の間の測定部分にプレート（厚さ５ｍｍ程度のアクリル板）を配置して、荷重が５ｃＮ/ｃｍ2となるようにプレートの大きさを調整する（プレートの形状は、円形もしくは正方形とする）。
【００３０】
本発明は、上述した実施形態に制限されることなく、本発明の趣旨を逸脱しない範囲で適宜変更が可能である。
例えば、本発明の吸収性物品はウイング部を有しないものであっても良い。また、接合ラインは、サイドシートを表面シート・吸収体・バックシート等に超音波シール、高周波シール、接着剤等で接合して形成されたものであっても良い。
【００３１】
また、サイドシート６は、それ自体に伸縮可能な材料を使用したり、その内側縁部６１付近に糸状・帯状の弾性材（例えば糸ゴムや平ゴム）を配置し、該弾性材を内側縁部６１で折り返したサイドシート６で挟み込んだりして、ポケットを形成（開口）し易くしても良い。弾性材を固定する場合、接合ラインにより弾性材を固定しても良く、別途ホットメルト型粘着剤などにより固定しても良い。
【００３２】
また、接合ラインは、図７に示すように、その一部が、サイドシートの内側縁部６１から、吸収性本体１０の長手方向中心線ＣＬに近づく方向に、はみ出していても良い。接合ラインの他の部分と同様にして形成された、そのような、はみ出し部分は、サイドシートと他の部材とを接合していない部分であっても、接合ラインの一部とする。図７に示す接合ライン８は、サイドシート６と表面シート２との積層体に、ヒートシール加工を施して形成したものであるが、そのヒートシール加工を、両シートが積層された部分と表面シートのみの部分とに跨るように施したため、はみ出し部分が生じたものである。
【００３３】
本発明の吸収性物品は、生理用ナプキン以外に、パンティライナー（おりものシート）、失禁パッド等であっても良い。尚、本発明の吸収性物品におけるポケットは、装着時に開口するものに限られない。
【図面の簡単な説明】
【００３４】
【図１】図１は、本発明の一実施形態としての生理用ナプキンを表面シート側から見た状態を示す平面図である。
【図２】図２は、図１のＩ−Ｉ線断面図である。
【図３】図３は、図１に示す生理用ナプキンの接合ラインの詳細を示す部分拡大平面図である。
【図４】図４は、接合ラインの他の例を示す図である。
【図５】図５は、着用状態においてポケットが開口した状態を示す部分斜視図である。
【図６】図６は、接合ラインの更に他の例を示す図である。
【図７】図７は、接合ラインの更に他の例を示す図である。
【符号の説明】
【００３５】
１  生理用ナプキン（吸収性物品）
１０  吸収性本体
１１  吸収層
２  表面シート
４  吸収体
１３  防漏層
３  裏面シート
６  サイドシート
６１  内側縁部
８  接合ライン
８１  長手方向中央線に近い部分
８２  長手方向中央線から遠い部分
８４  ポケット
Ａ  排泄部対向部
Ｂ  前方部
Ｃ  後方部
ＣＬ  吸収性本体（吸収性物品）の長手方向中央線
【図１】
2005342368.tif 000003
【図２】
2005342368.tif 000004
【図３】
2005342368.tif 000005
【図４】
2005342368.tif 000006
【図５】
2005342368.tif 000007
【図６】
2005342368.tif 000008
【図７】
2005342368.tif 000009